(57)【要約】【課題】携帯電話等の通信機器に装備される伸縮式アンテナを、可撓性を確保しつつ、低コストで小径化することができる。【解決手段】通信機器に装備される伸縮式アンテナ１であって、絶縁性の可撓管２１の周壁に長手方向に延びる挿通穴２２を設け、挿通穴２２に線状で可撓性の第１アンテナエレメント２３を挿設し、導電性の連結管４を第１アンテナエレメント２３と導通させて第１アンテナエレメント２３の先端側に固着し、可撓性の第２アンテナエレメント３１を連結管４及び可撓管２１に対して出入可能に設け、第２アンテナエレメント３１の引出状態で第２アンテナエレメント３１の基端側と連結管４とを導通する。【選択図】図３
2008236586.tif 000002
【特許請求の範囲】
【請求項１】
通信機器に装備される伸縮式アンテナであって、
絶縁性の可撓管の周壁に長手方向に延びる挿通穴を設け、
前記挿通穴に線状で可撓性の第１アンテナエレメントを挿設し、
導電性の連結管を前記第１アンテナエレメントと導通させて前記第１アンテナエレメントの先端側に固着し、
可撓性の第２アンテナエレメントを前記連結管及び前記可撓管に対して出入可能に設け、
前記第２アンテナエレメントの引出状態で前記第２アンテナエレメントの基端側が前記連結管と導通されることを特徴とする伸縮式アンテナ。
【請求項２】
前記第２アンテナエレメントの引出状態で、
前記第２アンテナエレメントの基端側に設けられた導電性の弾性膨出部が前記連結管の内周面に付勢されて、前記第２アンテナエレメントと前記連結管とが導通されることを特徴とする請求項１記載の伸縮式アンテナ。
【請求項３】
前記可撓管周壁の挿通穴を周方向に略一定間隔で３個以上の複数個設け、
前記第１アンテナエレメントを前記各挿通穴にそれぞれ挿設することを特徴とする請求項１又は２記載の伸縮式アンテナ。
【請求項４】
請求項１〜３の何れかに記載の伸縮式アンテナが筐体に取り付けられていることを特徴とする通信機器。
【発明の詳細な説明】
【技術分野】
【０００１】
本発明は、携帯電話等の通信機器に装備される伸縮式アンテナに係り、特に可撓性を有する伸縮式アンテナ及び通信機器に関する。
【背景技術】
【０００２】
携帯電話等の通信機器に装備される可撓性の伸縮式アンテナとして、金属線が螺旋状に緊密に巻回された円筒状の第１アンテナエレメントと、先端にアンテナトップが取り付けられた線状の第２アンテナエレメントとを有し、第１、第２アンテナエレメントを同軸上に連結して第１アンテナエレメントに対し第２アンテナエレメントを収容及び引き出し自在とし、第２アンテナエレメントを第１アンテナエレメント内に収容した状態で携帯電話等の筐体のアンテナ収容部内に収容できるものがある（特許文献１参照）。
【０００３】
【特許文献１】特開２００４−２１４７４５号公報
【発明の開示】
【発明が解決しようとする課題】
【０００４】
ところで、近年、テレビの視聴など携帯電話の多機能化に伴って携帯電話に実装される構成部品が増大し、筐体内に多くの構成部品の設置スペースを確保することが必要となり、筐体内で場所を取るアンテナ収容部の小型化、ひいてはアンテナ収容部に収容されるアンテナの小型化が求められている。しかしながら、上記伸縮式アンテナは、第１アンテナエレメントを金属線を螺旋状に巻回して形成しているため、加工上の限界から第１アンテナエレメントの小径化を図ることが非常に困難であり、又、仮に加工できたとしても高コストとなる。そのため、可撓性を確保しつつ、低コストで、アンテナを小径化することができる伸縮式アンテナが切望されている。
【０００５】
本発明は上記課題に鑑み提案するものであって、可撓性を確保しつつ、低コストで、アンテナを小径化することが可能であり、アンテナの小型化に資する伸縮式アンテナ、及び前記伸縮式アンテナを備える通信機器を提供することを目的とする。
【課題を解決するための手段】
【０００６】
本発明の伸縮式アンテナは、通信機器に装備される伸縮式アンテナであって、絶縁性の可撓管の周壁に長手方向に延びる挿通穴を設け、前記挿通穴に線状で可撓性の第１アンテナエレメントを挿設し、導電性の連結管を前記第１アンテナエレメントと導通させて前記第１アンテナエレメントの先端側に固着し、可撓性の第２アンテナエレメントを前記連結管及び前記可撓管に対して出入可能に設け、前記第２アンテナエレメントの引出状態で前記第２アンテナエレメントの基端側が前記連結管と導通されることを特徴とする。
【０００７】
また、本発明の伸縮式アンテナは、前記第２アンテナエレメントの引出状態で、前記第２アンテナエレメントの基端側に設けられた導電性の弾性膨出部が前記連結管の内周面に付勢されて、前記第２アンテナエレメントと前記連結管とが導通されることを特徴とする。
【０００８】
また、本発明の伸縮式アンテナは、前記可撓管周壁の挿通穴を周方向に略一定間隔で３個以上の複数個設け、前記第１アンテナエレメントを前記各挿通穴にそれぞれ挿設することを特徴とする。
【０００９】
また、本発明の通信機器は、本発明の伸縮式アンテナが筐体に取り付けられていることを特徴とする。前記通信機器は、携帯電話とすると好適あるが、例えばＰＤＡ等の携帯情報端末、電子手帳、電子ブック、無線機とするなど適宜である。
【００１０】
尚、本願の発明には、各発明や実施形態の構成の他に、これらの部分的な構成を他の構成に変更して特定したもの、或いはこれらの構成に他の構成を付加して特定したもの、或いはこれらの部分的な構成を部分的な作用効果が得られる限度で削除して特定した上位概念化したものも含まれる。
【発明の効果】
【００１１】
本発明では、可撓管周壁の長手方向に延びる挿通穴に線状で可撓性の第１アンテナエレメントを挿設することにより、良好な可撓性が得られると共に、低コストで容易にアンテナを小型化することができ、アンテナの小型化に資する。従って、携帯電話等の通信機器の筐体に設けられるアンテナ収容部の小型化や、通信機器の筐体内により広い構成部品の設置スペースを確保することも可能となる。
【００１２】
また、第２アンテナエレメントの引出状態で導電性の弾性膨出部が連結管の内周面に付勢される構成により、弾性膨出部と連結管の安定した接触状態を得ることができ、弾性膨出部と連結管を介した第１アンテナエレメントと第２アンテナエレメントの導通状態の安定性を高めることができる。
【００１３】
また、可撓管周壁の挿通穴を周方向に略一定間隔で３個以上の複数個設け、第１アンテナエレメントを各挿通穴にそれぞれ挿設することにより、伸縮式アンテナに対する任意の半径方向に負荷される外力に対して略平準化した可撓性を発揮することができる。
【発明を実施するための最良の形態】
【００１４】
本発明の伸縮式アンテナの実施形態について図面に基づき説明する。
【００１５】
本実施形態の伸縮式アンテナ１は、携帯電話に装備されるアンテナであって、図１〜図３に示すように、第１アンテナエレメント部２と第２アンテナエレメント部３とが導電性の連結管４で同軸上に連結され、第２アンテナエレメント部３が第１アンテナエレメント部２及び連結管４に対し出入可能に構成されている。第１アンテナエレメント部２の外周には携帯電話の筐体６へ取り付けるための導電性の取付具５が設けられており、取付具５は外周の雄ねじ５１を筐体６のアンテナ収容部６２の開口近傍に形成された導電性の取付ホルダ６１の雌ねじに螺着して筐体６に取り付けられ、取付具５に携帯電話の通信部と電気的に接続された取付ホルダ６１を介して取付具５に給電される。後述の如く、第１アンテナエレメント部２はストッパ７が取付具５に当接する範囲で筐体６に対して出入可能であり、更に、第２アンテナエレメント部３は、第１アンテナエレメント部２及び連結管４に対し出入可能であることから、伸縮式アンテナ１は多段式に伸長、短縮可能となっている。
【００１６】
第１アンテナエレメント部２は、図２〜図４に示すように、円筒形の可撓管２１を有し、可撓管２１の周壁には断面視略円形で長手方向に延びる挿通穴２２が形成されている。挿通穴２２は可撓管２１の周壁の周方向に一定間隔で３個設けられている。可撓管２１の素材は可撓性と絶縁性を有する適宜の素材とすることができるが、例えばナイロン、ポリプロピレン等の樹脂とすることが好ましい。尚、挿通穴２２は前記３個形成する以外に、例えば周方向に略一定間隔で４個、５個、６個など複数個形成することが好ましいが、挿通穴２２を２個、更には１個形成する構成とすることも可能である。また、各挿通穴２２には断面視略円形で線状の第１アンテナエレメント２３が挿入され、可撓管２１の長手方向に沿って設けられる。第１アンテナエレメント２３は可撓性と導通性を有する適宜の素材とすることができるが、例えばニッケルチタン合金等の超弾性材とすることが好ましい。
【００１７】
ストッパ７は、先端側の小径部７１に先端側から有底円筒形の取付凹部７３が内側に形成され、基端側に大径部７２を有する導電性の部材である。可撓管２１及び可撓管２１から露出した第１アンテナエレメント２３は、取付凹部７３に挿入されて導電性接着剤等で取付凹部７３の周面に固着され、これにより、第１アンテナエレメント２３とストッパ７が電気的に接続される。ストッパ７は、第１アンテナエレメント部２の筐体６からの引き出して伸長した時には大径部７２が取付具５の基端面５２に係止され、第１アンテナエレメント部２を離脱不能にすると共に、小径部７１が取付具５の貫通穴５３に係入され、小径部７１の外周面が貫通穴５３の周面と接触して、取付具５と第１アンテナエレメント２３を導通させる介在体となる。
【００１８】
第２アンテナエレメント部３は、図１〜図３に示すように、断面視円形で線状の第２アンテナエレメント３１を有し、第２アンテナエレメント３１の先端に樹脂等で形成された絶縁性で略独楽形のアンテナトップ部３２が固着され、その基端には第２アンテナエレメント３１と電気的に接続された導電性で略提灯形の弾性膨出部３３が設けられており、アンテナトップ部３２と弾性膨出部３３との間の第２アンテナエレメント３１の外周にはナイロンなど可撓性の弾性樹脂で形成された絶縁カバー３４が被覆されている。第２アンテナエレメント３１は、例えばニッケルチタン合金等の超弾性材など可撓性と導通性を有する適宜の素材で形成され、弾性膨出部３３も同様である。尚、アンテナトップ部３２は、必要に応じて内部にヘリカルコイルを設けると共に基端側に端子部を設け、伸縮式アンテナ１を筐体６内に収容した状態で前記端子部を取付具５と係合、接触させ、第１、第２アンテナエレメント２３、３１で構成されるホイップアンテナに加え、前記収容状態でヘリカルアンテナが機能する構成としてもよい。
【００１９】
連結管４は、図１〜図３に示すように、先端が先細となり内側に段差面を有する略円筒形であり、その基端側から先端側に向かって、大径の第１穴部４１と、第１穴部４１よりも径が小さい第２穴部４２と、第２穴部４２よりも径が小さい第３穴部４３とが形成され、第１穴部４１と第２穴部４２との間に長手方向に対して垂直な当接面４４と、第２穴部４２と第３穴部４３との間に長手方向に対して垂直な係止受面４５とを有する。
【００２０】
連結管４の第１穴部４１には、基端側から可撓管２１及び可撓管２１から露出した第１アンテナエレメント２３とが内挿され、可撓管２１と第１アンテナエレメント２３の先端は当接面４４に当接されて位置決めされる。第１アンテナエレメント２３と可撓管２１は、導電性接着剤等で第１穴部４１の周面に固着され、連結管４と第１アンテナエレメント２３とが電気的に接続される。
【００２１】
更に、連結管４の第３穴部４３には、第２アンテナエレメント３１及び絶縁カバー３４が挿通される。そして、第２アンテナエレメント部３の短縮時には、図２に示すように、第２アンテナエレメント３１及び絶縁カバー３４と第２アンテナエレメント３１の基端側の弾性膨出部３３は可撓管２１に内挿され、また、第２アンテナエレメント部３の伸長時には、図３に示すように、弾性膨出部３３の先端の係止部３５が係止受面４５に当接して係止され、第２アンテナエレメント部３の伸長が連結管４から離脱不能に規制されると共に、弾性膨出部３３の略中央が可撓管２１の内部から外れて連結管４の内部に配置され、弾性膨出部３３の略中央の膨出領域が第２穴部４２の周面に付勢され、弾性膨出部３３と連結管４とが電気的に接続される。
【００２２】
即ち、第１アンテナエレメント部２と第２アンテナエレメント部３の伸長時には、第１アンテナエレメント部２の伸長で取付具５を介して第１アンテナエレメント２３に給電され、第２アンテナエレメント部３の伸長で、連結管４と弾性膨出部３３とを介して第１アンテナエレメント２３と第２アンテナエレメント３１とが電気的に接続され、第２アンテナエレメント３１に給電される。
【００２３】
上記実施形態の伸縮式アンテナ１は、可撓性の第１アンテナエレメント２３を可撓管２１の長手方向に沿って設けるので、良好な可撓性が得られると共に、低コストで容易にアンテナを小径化することができる。第２アンテナエレメント３１の引出状態で導電性の弾性膨出部３３が連結管５の内周面に付勢されるので、弾性膨出部３３と連結管４とが安定して接触し、弾性膨出部３３と連結管４を介して第１アンテナエレメント２３と第２アンテナエレメント３１とを安定して導通させることができる。また、可撓管２１の外面に長手方向に延びる挿通穴２２を周方向に所定間隔で３個以上の複数個形成し、各挿通穴２２に挿通して可撓性の第１アンテナエレメント２３を複数設けるので、伸縮式アンテナ１に対する任意の半径方向に負荷される外力に対して略平準化した可撓性を発揮することができる。
【００２４】
尚、本発明は、上記実施形態に限定されるものではなく、種々の変形が可能であり、例えば係止部３５を弾性膨出部３３の先端とする以外に、第２アンテナエレメント３１から外方へ突出する鍔状等の係止部３５としてもよい。
【産業上の利用可能性】
【００２５】
本発明は、例えば携帯電話等の通信機器に装備するアンテナとして利用することができる。
【図面の簡単な説明】
【００２６】
【図１】実施形態の伸縮式アンテナの正面図。
【図２】実施形態の伸縮式アンテナの要部を示す縦断面図。
【図３】第２アンテナエレメント部を引き出した状態に於ける連結管付近の箇所を示す縦断面図。
【図４】第１アンテナエレメント部の横断面図。
【符号の説明】
【００２７】
１…伸縮式アンテナ  ２…第１アンテナエレメント部  ２１…可撓管  ２２…挿通穴  ２３…第１アンテナエレメント  ３…第２アンテナエレメント部  ３１…第２アンテナエレメント  ３２…アンテナトップ部  ３３…弾性膨出部  ３４…絶縁カバー  ３５…係止部  ４…連結管  ４１…第１穴部  ４２…第２穴部  ４３…第３穴部  ４４…当接面  ４５…係止受面  ５…取付具  ６…筐体  ７…ストッパ
【図１】
2008236586.tif 000003
【図２】
2008236586.tif 000004
【図３】
2008236586.tif 000005
【図４】
2008236586.tif 000006